(57)【要約】【課題】リップ溝形鋼製の支持部材へのケーブル類の結束固定作業を簡易迅速に、かつ確実に行えるケーブル結束具を提供する。【解決手段】ケーブル結束具は、結束用バンド４、バンド固定部７、バックル６、バックル固定部９、及び仮結合部片１０を備えた一体成形品である。使用に際しては仮結合部片１０を切断してバンド固定部７とバックル固定部９とのつながり状態を解く。かくして、支持部材２の対向リップ１２，１２間の溝開口１５からバンド固定部７の抜止め体１３を支持部材２の溝１７内に挿入させることで対向リップ１２，１２が抜止め体１３と押さえ部片１４との間で挟持されて結束用バンド４が支持部材２上に保持される。同様に、バックル固定部７の抜止め体１９を支持部材２の溝１７内に挿入させることでバックル６が支持部材２上に保持される。支持部材２上に直交状に沿わされるケーブル類３は、結束用バンド４で巻回するとともに結束バンド４の先端部をバックル６のバンド挿通孔５に通して締め付けることにより支持部材２上に結束固定される。【選択図】　　図２
2004007892.tif 000002
【特許請求の範囲】
【請求項１】
結束用バンドと、この結束用バンドの先端部が挿通されるバンド挿通孔を有するバックルと、前記結束用バンドの基端に一体に設けられたバンド固定部と、前記バックルに連結部材を介して一体に連結されたバックル固定部、及び前記バンド固定部とバックル固定部を一体につないだ切断可能な仮結合部片とを備えており、
前記バンド固定部は、前記結束用バンドの基端部の延長線上に設けた支柱部と、この支柱部の先端から結束用バンドの先端方向に向けて折り返し状に形成され、リップ溝形鋼製の支持部材の対向リップ間の溝開口から支持部材の溝内に挿入されることで前記対向リップの内側に係合する一対の拡縮弾性変形自在な係止脚片とからなる矢形状の抜止め体と、前記支柱部と前記結束用バンドの基端との連接部付近から前記係止脚片の先端と対向するよう張り出し形成され、前記対向リップの外側に当接係合されて前記抜止め体とともに前記対向リップを挟持する押さえ部片とを有する形に形成されており、
前記バックル固定部は、前記バンド固定部の抜止め体及び押さえ部片とほぼ同様な形状の抜止め体及び押さえ部片を有する形に形成されており、
前記仮結合部片は相対向する前記バンド固定部の抜止め体とバックル固定部の抜止め体とを分離可能につないでなることを特徴とする、ケーブル結束具。
【請求項２】
ケーブル結束具が前記結束用バンドと、バックルと、バンド固定部と、バックル固定部及び仮結合部片とを有する一体成形品に形成されている、請求項１記載のケーブル結束具。
【請求項３】
前記係止脚片の先端に、前記対向リップの内側に回り止め状に係合するストッパー部を設けている、請求項１又は２記載のケーブル結束具。
【発明の詳細な説明】
【０００１】
【発明の属する技術分野】
本発明は、ケーブルラックのリップ溝形鋼製子桁のごとき支持部材上にケーブル類を結束固定するのに好適に用いられるケーブル結束具に関する。
【０００２】
【従来の技術】
この種のケーブル結束具は、例えば、実公平４−１６５７１号公報に公知である。このケーブル結束具は、図７に示すように、結束用バンド３０と、この結束用バンド３０の基端に一体に結合され、該バンド３０の先端部が挿通されるバンド挿通孔３１を有するバックル３２、及び結束用バンド３０とは別体に形成され、該結束用バンド３０をケーブルラックのリップ溝形鋼製子桁のごとき支持部材２に仮止めするケーブル結束バンド用支持具３３により構成される。
【０００３】
ケーブル結束バンド用支持具３３は、リップ溝形鋼製支持部材２の対向リップ１２，１２間の溝開口１５から支持部材２の溝１７内に挿入されてほぼ９０度回転されることで対向リップ１２，１２の内側に係合する抜止め体３４と、対向リップ１２，１２の外側に係合されて抜止め体３４とともに対向リップ１２，１２を挟持する押さえ部片３５、及び前記溝開口１５に挿入可能な太さを持って抜止め体３４と押さえ部片３５とを相対向状に結合した括れ部３６とを有する側面視ほぼＨ形状に形成されている。括れ部３６には、結束用バンド３０が挿通されるバンド挿通孔３７が設けられている。
【０００４】
かくして、ケーブル結束バンド用支持具３３は、支持部材２の対向リップ１２，１２間の溝開口１５から支持部材２の溝１７内に挿入し、ほぼ９０度回転させることで抜止め体３４を対向リップ１２，１２の内側に係合する。このとき、押さえ部片３５は抜止め体３４とともに対向リップ１２，１２を挟持する。これによりケーブル結束バンド用支持具３３は支持部材２の溝１７内に支持される。そして、まず、図８に示すように結束用バンド３０をケーブル結束バンド用支持具３３のバンド挿通孔３７に挿通し、次いで図７に示すごとく支持部材２上に直交状に沿わされたケーブル、電線管等のケーブル類３を結束用バンド３０で巻回するとともに結束バンド３０の先端部をバックル３２のバンド挿通孔３１に通して締め付けることによりケーブル類３が支持部材２上に結束固定されるというものである。
【０００５】
【発明が解決しようとする課題】
しかるに、結束用バンド３０と、これとは別体に構成されるケーブル結束バンド用支持具３３の二部材からなる上記ケーブル結束具では、ケーブル類３を支持部材２に結束固定するとき、支持部材２内にケーブル結束バンド用支持具３３を挿入して支持した後に、図８に示すように結束用バンド３０をケーブル結束バンド用支持具３３のバンド挿通孔３７に挿通する必要があり、この挿通作業は支持部材２の対向リップ１２，１２間の溝開口１５内で行なわなければならないため、非常に煩わしかった。また、このケーブル結束バンド用支持具３３のバンド挿通孔３７への結束用バンド挿通作業時に、ややもすれば結束用バンド３０を支持部材２から地上や床へ落とすおそれがあった。
【０００６】
本発明の目的は、このような問題を解消するためになされたものであり、従来の上記結束用バンドのようにケーブル結束バンド用支持具のバンド挿通孔に挿通する煩わしい手間を省略することができ、また作業時における結束用バンドの落下防止を図り得て支持部材へのケーブル類の結束固定作業をより一層簡易迅速に、かつ安全確実に行えるケーブル結束具を提供することにある。
【０００７】
【課題を解決するための手段】
本発明のケーブル結束具は、結束用バンドと、この結束用バンドの先端部が挿通されるバンド挿通孔を有するバックルと、前記結束用バンドの基端に一体に設けられたバンド固定部と、前記バックルに連結部材を介して一体に連結されたバックル固定部、及び前記バンド固定部とバックル固定部を一体につないだ切断可能な仮結合部片とを備えている。
前記バンド固定部は、前記結束用バンドの基端部の延長線上に設けた支柱部と、この支柱部の先端から結束用バンドの先端方向に向けて折り返し状に形成され、リップ溝形鋼製の支持部材の対向リップ間の溝開口から支持部材の溝内に挿入されることで前記対向リップの内側に係合する一対の拡縮弾性変形自在な係止脚片とからなる矢形状の抜止め体と、前記支柱部と前記結束用バンドの基端との連接部付近から前記係止脚片の先端と対向するよう張り出し形成され、前記対向リップの外側に当接係合されて前記抜止め体とともに前記対向リップを挟持する押さえ部片とを有する形に形成されている。
前記バックル固定部は、前記バンド固定部の抜止め体及び押さえ部片とほぼ同様な形状の抜止め体及び押さえ部片を有する形に形成されている。
そして、前記仮結合部片は相対向する前記バンド固定部の抜止め体とバックル固定部の抜止め体とを分離可能につないでいる。
【０００８】
一つの好適な態様において、本発明によるケーブル結束具は、前記結束用バンドと、バックルと、バンド固定部と、バックル固定部及び仮結合部片とを有する一体成形品に形成することができる。
また、前記係止脚片の先端には、前記対向リップの内側に回り止め状に係合するストッパー部を設けることができる。
【０００９】
【作用】
上記構成のケーブル結束具は、支持部材にケーブル類を結束固定するにあたって、ケーブル結束具を支持部材に挿入する直前に、仮結合部片を手でねじって切断することでバンド固定部とバックル固定部とのつながり状態を解く。
この切断により分離されたバンド固定部の抜止め体は、支持部材の対向リップ間の溝開口から支持部材の溝内に挿入させることで一対の拡縮弾性変形自在な係止脚片の先端が対向リップの内側に係合するとともに、押さえ部片が対向リップの外側に係合して対向リップが抜止め体と押さえ部片との間で挟持され、これにより結束用バンドが支持部材上の所定位置に保持される。
【００１０】
バックルのバックル固定部の抜止め体は、同様に、支持部材の対向リップ間の溝開口から支持部材の溝内に挿入させることで一対の拡縮弾性変形自在な係止脚片の先端が対向リップの内側に係合するとともに、押さえ部片が対向リップの外側に係合して対向リップが抜止め体と押さえ部片との間で挟持され、これによりバックルが支持部材上に結束用バンドに並べて保持される。
【００１１】
支持部材上に直交状に沿わされるケーブル類は、このケーブル類の一側にて上記のように支持部材に保持される結束用バンドで巻回するとともに結束バンドの先端部を、ケーブル類の他側にて支持部材上に保持されるバックルのバンド挿通孔に通して締め付けることにより、ケーブル類が支持部材上に結束固定される。
【００１２】
その際、バンド固定部及びバックル固定部は支持部材上の任意位置に移動固定できるため、バンド固定部とバックル固定部の両者間の間隔をケーブル類の太さや本数に見合う間隔に調整できる。
【００１３】
【発明の実施の形態】
本発明の好適な実施形態を図面に基づき説明する。図１は一実施例のケーブル結束具の斜視図、図２は図１のケーブル結束具の平面図、図３は図１のケーブル結束具の側面図、図４は図１のケーブル結束具の結束用バンド及びバックルを支持部材に挿入した状態を示す斜視図、図５は図４におけるＡ矢視図、図６は支持部材へのケーブル類の結束固定状態を示す平面図である。
【００１４】
本発明に係るケーブル結束具１は、例えば、図４に示すケーブルラックのリップ溝形鋼製の子桁のごとき支持部材２上にケーブルや電線管等のケーブル類３（図６参照）を結束固定するのに用いるものである。
図１ないし図３に示すように、ケーブル結束具１は、全体がナイロン等からなる合成樹脂製の一体成形品であり、可撓性の結束用バンド４と、この結束用バンド４の先端部が挿通されるバンド挿通孔５を有するバックル６と、結束用バンド４の基端に一体に設けたバンド固定部７と、バックル６に連結部材８を介して一体に連結したバックル固定部９、及びバンド固定部７とバックル固定部９と一体につないだ切断容易な仮結合部片１０とを備えている。
【００１５】
結束用バンド４はこれの片面に係合歯１１をその長手方向に所定ピッチで列設している。この結束用バンド４の基端に一体に成形されたバンド固定部７は、結束用バンド４の基端部の延長線上に設けた支柱部１３ａと、この支柱部１３ａの先端から結束用バンド４の先端方向に向けて折り返し状に形成され、図５に示すごとくリップ溝形鋼製の支持部材２の対向リップ１２，１２の内側に係合する一対の拡縮弾性変形自在な係止脚片１３ｂ、１３ｂとからなる矢形状の抜止め体１３と、支柱部１３ａと結束用バンド４の基端との連接部付近から係止脚片１３ｂ，１３ｂの先端と対向するよう張り出し形成され、対向リップ１２，１２の外側に当接係合されて抜止め体１３とともに対向リップ１２，１２を挟持する押さえ部片１４とを有する形に形成されている。
【００１６】
抜止め体１３において、係止脚片１３ｂ，１３ｂの先端部どうし間の間隔は、支持部材２の対向リップ１２，１２間の溝開口１５から溝１７内に縮小させながら挿入し、挿入後弾性復元作用で拡開変形させることで対向リップ１２，１２の内側に抜け止め状に係合するように、支持部材２の溝開口１５の開口幅よりも長く設定されている。押さえ部片１４は、支持部材２の対向リップ１２，１２の外側に係合して抜止め体１３とともに対向リップ１２，１２を挟持できるように翼片状に形成されている。
【００１７】
抜止め体１３は、支持部材２の溝１７内に挿入後、結束バンド４の中心軸まわりに回り動くことのないようにするために、係止脚片１３ｂ，１３ｂの各先端部には対向リップ１２，１２の各内側に回り止め状に係合するストッパー部１６を形成している。ストッパー部１６は、図示例では内外突壁１６ａ，１６ｂを有する断面溝形状に形成してあるが、内外壁１６ａ，１６ｂのいずれか一方のみを有する形に形成されるものであっても上記回り止め目的を達成することができる。
【００１８】
バックル６は、四角形箱状に形成されており、結束用バンド４がこれの先端部から挿通されるバンド挿通孔５を形成し、このバンド挿通孔５内に結束用バンド４の係合歯１１に係合する係合爪１８を突設している。バックル６は連結部材８の一端に一体に形成され、連結部材８の他端にはバックル固定部９が一体に形成されている。バックル固定部９は、全体形状がバンド固定部７の全体形状とほぼ同様な形状に形成されており、バンド固定部７の抜止め体１３及び押さえ部片１４とほぼ同様な形状、大きさの、支柱部１９ａ及びストッパー部１６を備えた係止脚片１９ｂ，１９ｂを有する抜止め体１９と、押さえ部片２１とを有してなる。
【００１９】
結束用バンド４の抜止め体１３とバックル６の抜止め体１９とを所定間隔を置いて相対向状に仮結合する仮結合部片１０は、手でねじって容易に切断できるように細く、薄く形成されている。
【００２０】
次に、上記構成のケーブル結束具１を用いて支持部材２にケーブル類３を結束固定する要領について説明する。
先ず、仮結合部片１０を手でねじって切断することで結束用バンド４のバンド固定部７とバックル６のバックル固定部９とのつながり状態を解く。次いで、図４に示すように、結束用バンド４のバンド固定部７の抜止め体１３を支持部材２の対向リップ１２，１２間の溝開口１５から支持部材２の溝１７内に挿入させることで、図５に示すごとく一対の拡縮弾性変形自在な係止脚片１３ｂ，１３ｂの先端が対向リップ１２，１２の内側に係合するとともに、押さえ部片１４が対向リップ１２，１２の外側に係合して対向リップ１２，１２が抜止め体１３と押さえ部片１４との間で挟持され、これにより結束用バンド４が支持部材２上の所定位置に保持される。
【００２１】
バックル６のバックル固定部９の抜止め体１９も、上記バンド固定部７の抜止め体１３の場合と同様に、支持部材２の対向リップ１２，１２間の溝開口１５から支持部材２の溝１７内に挿入させることで一対の拡縮弾性変形自在な係止脚片１９ｂ，１９ｂの先端が対向リップ１２，１２の内側に係合するとともに、押さえ部片２１が対向リップ１２，１２の外側に係合して対向リップ１２，１２が抜止め体１９と押さえ部片２１との間で挟持され、これにより支持部材２上にバックル６が結束用バンド４に並べて保持される。
【００２２】
かくして、支持部材２上に直交状に沿わされるケーブル類３は、支持部材２上の結束用バンド４で巻回するとともに結束バンド４の先端部をバックル６のバンド挿通孔５に通して締め付けると、図６に示すごとくケーブル類３が支持部材２上に結束固定される。
【００２３】
上記のようにケーブル結束具１は、仮結合部片１０の切断により分離された結束用バンド４とバックル６の一方を支持部材２に挿入させて保持し、他方も同じ要領で支持部材２に挿入させて保持することで足り、この両者の支持部材２への同じ挿入作業は、図７、図８に示すごとき支持部材２内にケーブル結束バンド用支持具３３を挿入し支持した後に、該ケーブル結束バンド用支持具３３のバンド挿通孔３７に結束用バンド３０を挿通するという従来の作業に比べて、簡単で、しかも迅速に行える。
【００２４】
結束用バンド４のバンド固定部７とバックル６のバックル固定部９は支持部材２の溝開口１５の長手方向の任意位置に移動固定させることができるので、バンド固定部７とバックル固定部９との間の間隔をケーブル類３の太さや本数に見合った間隔に可変調整することができる。
【００２５】
ケーブル結束具１の結束用バンド４とバックル６の両者は支持部材２に挿入される直前にまで互いに仮結合部片１０によりつながれた状態に維持することができ、また従来の図８に示すごときケーブル結束バンド用支持具３３のバンド挿通孔３７への結束用バンド挿通作業を省略できるので、従来のごとき作業中における結束用バンドの落下事故を防止できる。
【００２６】
【発明の効果】
本発明のケーブル結束具によれば、仮結合部片の切断により分離された結束用バンドとバックルの一方を支持部材に挿入させて保持し、他方も同じ要領で支持部材に挿入させて保持するという簡単かつ迅速な作業で、しかも結束用バンドを落下させるおそれなく支持部材にケーブル類を結束固定できて有利である。また、ケーブル結束具は、結束用バンド、バンド固定部、バックル、バックル固定部、及び仮結合部片を備えた一体成形品に形成することにより、ひとつの成形金型で安価に製造できる。
【図面の簡単な説明】
【図１】一実施例のケーブル結束具の斜視図である。
【図２】図１のケーブル結束具の平面図である。
【図３】図１のケーブル結束具の側面図である。
【図４】図１のケーブル結束具の結束用バンド及びバックルを支持部材に挿入した状態を示す斜視図である。
【図５】図４におけるＡ矢視図である。
【図６】支持部材へのケーブル類の結束固定状態を示す平面図である。
【図７】従来例のケーブル結束具をケーブル結束状態で示す側面図である。
【図８】従来例のケーブル結束具の結束用バンドをケーブル結束バンド用支持具のバンド挿通孔に挿通している様子を示す斜視図である。
【符号の説明】
１　ケーブル結束具
２　支持部材
３　ケーブル類
４　結束用バンド
５　バンド挿通孔
６　バックル
７　バンド固定部
８　連結部材
９　バックル固定部
１０　仮結合部片
１２，１２　対向リップ
１３　バンド固定部の抜止め体
１３ａ　支柱部
１３ｂ，１３ｂ　係止脚片
１４　バンド固定部の押さえ部片
１５　溝開口
１６　ストッパー部
１７　溝
１９　バックル固定部の抜止め体
１９ａ　支柱部
１９ｂ，１９ｂ　係止脚片
２１　バックル固定部の押さえ部片
【図１】
2004007892.tif 000003
【図２】
2004007892.tif 000004
【図３】
2004007892.tif 000005
【図４】
2004007892.tif 000006
【図５】
2004007892.tif 000007
【図６】
2004007892.tif 000008
【図７】
2004007892.tif 000009
【図８】
2004007892.tif 000010